(57)【要約】【課題】軸部を受ける部位のバリの発生を抑制し、軸受け精度を向上させる軸受け機構をの提供する。【解決手段】樹脂により構成され、軸部の側面と摺接して同軸部を軸受けする軸受け機構であって、前記軸部の挿通経路に連続して形成される複数の受け部を有し、前記各受け部は、前記軸部を受ける受け面の上方が開口するとともに、隣り合う受け部の開口が対向する向きに形成され、前記受け面には段が形成され、この段の天面により前記軸部の側面を受ける。【選択図】図４
2011154757.tif 000002
【特許請求の範囲】
【請求項１】
樹脂により構成され、軸部の側面と摺接して同軸部を軸受けする軸受け機構であって、
前記軸部の挿通経路に連続して形成される複数の受け部を有し、
前記各受け部は、前記軸部を受ける受け面の上方が開口するとともに、隣り合う受け部の開口が対向する向きに形成され、
前記受け面には段が形成され、この段の天面により前記軸部の側面を受けることを特徴とする軸受け機構。
【請求項２】
樹脂により構成され、軸部の側面と摺接して同軸部を軸受けする軸受け機構であって、  前記軸部の挿通経路に連続して形成される第一の受け部と、第二の受け部と、第三の受け部を有し、
前記各受け部は、前記軸部を受ける受け面の上方が開口するとともに、隣り合う受け部の開口が対向する向きに形成され、
前記受け面には段が形成され、この段の天面により前記軸部の側面を受けることを特徴とする軸受け機構。
【発明の詳細な説明】
【技術分野】
【０００１】
本発明は、軸部に沿って所定方向にスライドする本体部を備える軸受け構造に関し、特に、前記軸部が前記本体部に貫通して位置決めされる軸受け構造に関する。
【背景技術】
【０００２】
従来、光ピックアップは複数のレンズをレーザーの軌道上に配置して光学系を形成している。また、光ピックアップの中にはレンズをレーザーの軌道方向に沿って移動させるレンズ駆動機構を備えるものもある。
【０００３】
レンズ駆動機構は、例えば所定長の軸部と、レンズが配置された本体部と、本体部をスライドさせる駆動部とを備えて構成される。また、本体部は軸受け機構により軸部を貫通させつつその側面と摺接するよう配置され、この本体部が駆動部により力を加えられることで軸部の長手方向にスライドしてレンズを移動させる（例えば特許文献１−３参照）。
【先行技術文献】
【特許文献】
【０００４】
【特許文献１】特開平７−１２１８９４号公報
【特許文献２】特開平１１−２０３６９９号公報
【特許文献３】特開２００７−２９４０４１号公報
【発明の概要】
【発明が解決しようとする課題】
【０００５】
上記した軸受け機構を樹脂等で生産する場合、軸部を受ける部位にバリが発生する場合がある。軸部を受ける箇所にバリが発生すると、本体部のスライドがバリによって干渉され、軸受け精度が悪くなる場合があった。そのため、バリが発生した製品を使用するにはバリ取り等の後処理を行う必要があるが、バリ取りを行うことで製品のコストも上昇するし、軸受け機構が小さなものである場合は、バリを取ることも難しい場合があった。
【０００６】
本発明は、上記課題にかんがみてなされたもので、軸部を受ける部位のバリの発生を抑制し、軸受け精度を向上させる軸受け機構の提供を目的とする。
【課題を解決するための手段】
【０００７】
上記目的を達成するために本発明は、樹脂により構成され、軸部の側面と摺接して同軸部を軸受けする軸受け機構であって、前記軸部の挿通経路に連続して形成される複数の受け部を有し、前記各受け部は、前記軸部を受ける受け面の上方が開口するとともに、隣り合う受け部の開口が対向する向きに形成され、前記受け面には段が形成され、この段の天面により前記軸部の側面を受ける構成としてある。
【０００８】
上記のように構成された発明では、軸受け機構は、樹脂により構成され、軸部の側面と摺接して同軸部を軸受けする構成であって、軸部の挿通経路に連続して形成される複数の受け部を有している。この各受け部は、軸部を受ける受け面の上方が開口するとともに、隣り合う受け部の開口が対向する向きに形成され、さらに、受け面には段が形成され、この段の天面により軸部の側面を受ける。
【０００９】
そのため、この軸受け機構を形成する場合、各受け部の開口はそれぞれ対向するよう配置されており、スライド型を用いることなく上型と下型のみで形成することが可能となる。また、バリが製品に発生する箇所はキャビティーにおける型が合わさる箇所に発生することが多いが、本発明では、各受け部の受け面に軸部を受けるための段を形成することで、軸受面がキャビティーにおける型が合わさる箇所で形成されず、バリの発生を抑えることが可能となる。
【００１０】
さらに、本発明の他の局面として、樹脂により構成され、軸部の側面と摺接して同軸部を軸受けする軸受け機構であって、前記軸部の挿通経路に連続して形成される第一の受け部と、第二の受け部と、第三の受け部を有し、前記各受け部は、前記軸部を受ける受け面の上方が開口するとともに、隣り合う受け部の開口が対向する向きに形成され、前記受け面には段が形成され、この段の天面により前記軸部の側面を受ける構成としてもよい。
【発明の効果】
【００１１】
本発明によれば、軸部を受ける部位のバリの発生を抑制し、軸受け精度を向上させることができる。
【図面の簡単な説明】
【００１２】
【図１】本実施形態の光ピックアップの構成を示す概略図である。
【図２】本実施形態のレンズ駆動機構の構成を示す概略斜視図である。
【図３】本実施形態のレンズホルダー３４が備える軸受け部４２について説明するための斜視図である。
【図４】本実施形態のレンズホルダー３４が備える軸受け部４２の側面形状を示す側面図である。
【図５】本実施形態のレンズ駆動機構３０が備えるレンズホルダー３４を形成する際の型の配置を示す模式図である。
【発明を実施するための形態】
【００１３】
以下、本発明のレンズ駆動機構及びそれを備える光ピックアップの実施形態について、図面を参照しながら説明する。
１．第１の実施形態：
２．その他の実施形態：
【００１４】
１．第１の実施形態：
１．１．光ピックアップの構成：
本実施形態のレンズ駆動機構を備える光ピックアップの構成について、図１を参照しながら説明する。図１は、本実施形態の光ピックアップの構成を示す概略図である。本実施形態の光ピックアップ１は、ブルーレイディスク（ＢＤ）に記録される情報の読み取りや、ＢＤへの情報の書き込みを行うために使用される光ピックアップの一例である。
【００１５】
光ピックアップ１には、半導体レーザー１１と、回折素子１２と、偏光ビームスプリッタ１３と、コリメートレンズ１４と、１／４波長板１５と、立ち上げミラー１６と、対物レンズ１７と、シリンドリカルレンズ１８と、フォトディテクタ１９と、を備える光学系が組み込まれている。
【００１６】
半導体レーザー１１は、光ディスクＭに記録される情報を読み取る際や、光ディスクＭに情報を記録する際に、光ディスクＭに光を照射するために設けられる。半導体レーザー１１から出射されるレーザー光の波長は、光ピックアップ１が読み取りや書き込みの対象とする光ディスクの種類によって適宜選択されるものである。本実施形態では、光ピックアップ１が対象とする光ディスクＭはＢＤであるために、半導体レーザー１１からは４０５ｎｍ帯の波長を有するレーザー光が出射される。
【００１７】
回折素子１２は、半導体レーザー１１から出射されたレーザー光を回折して主ビームと２つの副ビームとに分けるために設けられる。回折素子１２は、例えば樹脂やガラス等の透明樹脂によって形成され、その表面に回折格子が形成される。なお、回折素子１２を用いてレーザー光を３つの光に分ける理由は、フォトディテクタ１９から出力される信号を用いてサーボ（フォーカシング制御やトラッキング制御）用に使用される信号を生成できるようにするためである。
【００１８】
偏光ビームスプリッタ１３は、半導体レーザー１１から出射されたレーザー光について反射し、光ディスクＭで反射された後、偏光ビームスプリッタ１３に送られてきたレーザー光について透過する機能を有する。なお、半導体レーザー１１から出射されて偏光ビームスプリッタ１３に入射するレーザー光と、光ディスクＭで反射された後に偏光ビームスプリッタ１３に入射するレーザー光は、いずれも直線偏光であるが、その偏光方向が９０°異なる。この偏光方向の違いは、後述の１／４波長板１５の作用による。
【００１９】
コリメートレンズ１４は、入射するレーザー光を平行光に変換する機能を有するレンズである。また、コリメートレンズ１４は、レンズ駆動機構３０によって光軸方向（図１に矢印で示す方向）に移動可能とされている。このため、偏光ビームスプリッタ１３から送られてコリメートレンズ１４から出射されるレーザー光は、必ずしも平行光ではなく、発散光や収束光となって出射される。このようにコリメートレンズ１４の位置をレンズ駆動機構３０によって移動可能とするのは、球面収差の補正を行えるようにするためである。
【００２０】
本実施形態の光ピックアップ１が対象とするＢＤは、その規格によって通常は情報を記録する記録層が２層（図１のＬ０層とＬ１層が該当する）となっている。この場合、記録層Ｌ０と記録層Ｌ１とでは、透明樹脂で形成される保護層の厚みが異なるために、球面収差の発生が問題となる。このため、光ピックアップ１においては、コリメートレンズ１４をレンズ駆動機構３０によって光軸方向に移動可能とし、コリメートレンズ１４の位置の調整によって対物レンズ１７に入射するレーザー光の収束発散状態を変化させて球面収差の補正を行う構成としている。
【００２１】
１／４波長板１５は、コリメートレンズ１４から出射されたレーザー光を円偏光に変換する。なお、光ディスクＭで反射された後、１／４波長板１５に入射するレーザー光（円偏光）については、直線偏光として出射する。そして、この場合に出射される直線偏光の偏光方向は、半導体レーザー１１から出射された直線偏光の偏光方向に対して９０°回転された偏光方向となる。
【００２２】
立ち上げミラー１６は、１／４波長板１５からのレーザー光を反射して、その光軸が光ディスクＭのディスク面と直交する光とする。
【００２３】
対物レンズ１７は、入射したレーザー光を光ディスクＭのＬ０層又はＬ１層（いずれも記録層）に集光する。対物レンズ１７は、アクチュエータ２０に搭載されており、フォーカス方向（図１の上下方向）とトラック方向（図１の紙面と垂直な方向）に移動可能となっている。これにより、光ピックアップ１におけるフォーカシング制御やトラッキング制御が可能となる。また、Ｌ０層からＬ１層、又はＬ１層からＬ０層へと対物レンズ１７のフォーカス位置を変更する、いわゆるフォーカスジャンプもこのアクチュエータ２０の動作によって実現される。対物レンズ１７を駆動するアクチュエータ２０の構成は公知であるために、ここでは、その説明は省略する。
【００２４】
半導体レーザー１１から出射され、光ディスクＭで反射されたレーザー光は、対物レンズ１７を透過後、立ち上げミラー１６で反射され、１／４波長板１５、コリメートレンズ１４、偏光ビームスプリッタ１３に順に透過する。そして、シリンドリカルレンズ１８によって非点収差を与えられて、フォトディテクタ１９の受光面に集光する。
【００２５】
フォトディテクタ１９は、入射した光情報を電気信号に変換してＲＦアンプ（図示せず）等に出力する。フォトディテクタ１９から出力された電気信号は処理されて、再生信号や、フォーカスエラー（ＦＥ）信号や、トラッキングエラー（ＴＥ）信号等となる。ＦＥ信号とＴＥ信号は、上述のフォーカシング制御やトラッキング制御を行うために使用される。
【００２６】
１．２．レンズ駆動機構の構成
次に、コリメートレンズ１４を駆動するレンズ駆動機構３０の構成について、図を参照しながら説明を行う。図２は、本実施形態のレンズ駆動機構の構成を示す概略斜視図である。
【００２７】
本実施形態のレンズ駆動機構３０は、ステッピングモータ３１と、リードスクリュ３２と、レンズホルダー３４と、２本のガイドシャフト３５ａ、３５ｂと、与圧バネ３６と、板バネ部材３７と、を備える。
【００２８】
レンズ駆動機構３０は光ピックアップ１のスライドベース（図示していないが、光学部材等が搭載されるベースのことである）に直接取り付けられる構成となっている。ただし、レンズ駆動機構３０を専用に搭載するベース部材を設ける構成とし、レンズ駆動機構を搭載したベースをスライドベースに取り付ける構成としても構わない。
【００２９】
ステッピングモータ３１は、スライドベースに固定配置される。本実施形態のレンズ駆動機構３０においては、駆動源としてステッピングモータ３１を用いているために、ステップ数によってレンズ（レンズホルダ３４）の移動量（言い換えれば、レンズの位置）を管理することができる。
【００３０】
リードスクリュ３２は、ステッピングモータ３１の出力軸に取り付けられてステッピングモータ３１の駆動によって回転する。リードスクリュ３２には、螺旋状のネジが切られている。なお、リードスクリュ３２の両端部側には螺旋状のネジが切られていない部分が存在する。
【００３１】
レンズホルダー３４は、例えば樹脂（ポリフェニレンサルファイド樹脂（ＰＰＳ）や液晶ポリマ（ＬＣＰ）等）によって形成され、コリメートレンズ１４を保持する。また、レンズホルダー３４は、２本のガイドシャフト３５ａ、３５ｂにより、スライド可能に保持され、リードスクリュ３２の回転に応じて、ガイドシャフト３５ａ、３５ｂの長手方向にスライド移動する。
【００３２】
レンズホルダー３４は、本体部４０と、本体部４０に貫通孔を形成することによって設けられ、コリメートレンズ１４を保持する保持部４１と、ガイドシャフト３５ａが挿通される軸受け部４２と、ガイドシャフト３５ｂが挿通される軸受け部４３と、を備える。
【００３３】
図３は、本実施形態のレンズホルダー３４が備える軸受け部４２について説明するための斜視図である。また、図４は、本実施形態のレンズホルダー３４が備える軸受け部４２の側面形状を示す側面図である。図３に示すように、軸受け部４２は、第一の受け部４３ａ、第二の受け部４３ｂ、及び第三の受け部４３ｃとを備えて構成されている。また、第一から第三の受け部は、ガイドシャフト３５ａの挿通方向に連続して配置されるとともに、その底面が挿通方向を中心として対向するよう配置されることでガイドシャフト３５ａが挿通する経路を形成している。 
【００３４】
第一の受け部４３ａ及び第三の受け部４３ｃは、軸受け部４２の両端に形成され、ガイドシャフト３５ａの半径方向における断面に沿った半円状の受け面４３ａ１、４３ｃ１を備えている（図３−Ａ）。また、第一の受け部４３ａ及び第三の受け部４３ｃは、各受け面４３ａ１、４３ｃ１の上方が開口し、その断面がＵ字状に形成されている。さらに、各受け面４３ａ１、４３ｃ１には、段状に形成された段部４３ａ１１、４３ｃ１１を備え、この段部４３ａ１１、４３ｃ１１の天面によりガイドシャフト３５ａの側面を受ける。
【００３５】
第二の受け部４３ｂは、第一の受け部４３ａと第三の受け部４３ｃの間に形成され、挿通したガイドシャフト３５ａを受ける受け面４３ｂ１を備えている（図３−Ｂ）。また、第二の受け部４３ｂは、受け面４３ｂ１の上方は開口し、その断面がコ字状に形成されている。さらに、受け面４３ｂ１には、段状に形成された段部４３ｂ１１、４３ｂ１１を備え、この段部４３ｂ１１の天面によりガイドシャフト３５ａの側面を受ける。そのため、この第一〜第三の受け部により形成された経路を挿通するガイドシャフト３５ａは、受け面４３ａ１、４３ｂ１、４３ｃ１に形成された段部４３ａ１１、４３ｂ１１、４３ｃ１１の天面で摺接し、レンズホルダー３４をスライド可能に保持する（図４）。
【００３６】
なお、各受け部に形成する段部は、その一例として、スライドシャフト３５の直径が１.５ミリほどである場合、受け部から突出する高さを０．５ミリほどにしてある。
【００３７】
以下、上記構成のレンズホルダー３４を形成する手法を説明する。図５は、本実施形態のレンズ駆動機構３０が備えるレンズホルダー３４を形成する際の型の配置を示す模式図である。なお、図５−Ａは、第一の受け部４３ａを中心とする断面（図３のＡ−Ａ断面）での型の配置を示す。また、図５−Ｂは、第二の受け部４３ｂを中心とする断面（図３のＢ−Ｂ断面）での型の配置を示す。なお、第三の受け部４３ｃは、第一の受け部４３ａと同様な構成であるため、その説明は省略する。
【００３８】
レンズホルダー３４は、上型と下型を合わせて形成したキャビティーに成形剤を充填して成形される。このとき、レンズホルダー３４の第一の受け部４３ａと第二の受け部４３ｂはその受け面４３ａ１、４３ｂ１と対向する（ガイドシャフト３５ａの挿通する方向を中心として）側が開口しているため、図５に示すように、軸受部４３の形状のキャビティーをスライド型を用いることなく上型と下型のみを用いて形成することができる。また、第一の受け部４３ａと第二の受け部４３ｂの受け面４３ａ１、４３ｂ１の段部４３ａ１１、４３ｂ１１は上型により形成されるキャビティーの形状により成形される、そのため、段部４３ａ１１、４３ｂ１１は、上型と下型が合わさらないキャビティーにより形成されるため、受け面におけるバリの発生を抑制することができる。
【００３９】
以上説明したように、軸受け機構は、各受け部の開口はそれぞれ対向するよう配置されており、スライド型を用いることなく上型と下型のみで形成することが可能となる。また、バリが製品に発生する箇所はキャビティーにおける型が合わさる箇所に発生することが多いが、本発明では、各受け部の受け面に軸部を受けるための段を形成することで、軸受面がキャビティーにおける型が合わさる箇所で形成されず、バリの発生を抑えることが可能となる。
【００４０】
２．その他の実施形態：
本発明は様々な実施形態が存在する。
軸受け機構を備える装置として、光ピックアップを用いることは一例であり、これに限定されない。
また、軸受け機構が備える受け部の数は３個に限定されず、適宜変更可能である。
【符号の説明】
【００４１】
１１…半導体レーザー、１２…回折素子、１３…偏光ビームスプリッタ、１４…コリメートレンズ、１５…１／４波長板、１６…ミラー、１７…対物レンズ、１８…シリンドリカルレンズ、１９…フォトディテクタ、２０…アクチュエータ、３０…レンズ駆動機構、３１…ステッピングモータ、３２…リードスクリュ、３４…レンズホルダー、３５ａ，３５ｂ…ガイドシャフト、３６…与圧バネ、３７…板バネ部材、４０…本体部、４１…保持部、４２…軸受け部、４３…軸受け部、４３ａ…第一の受け部、４３ｂ…第二の受け部、４３ｃ…第三の受け部、４３ａ１１，４３ｂ１１，４３ｃ１１…段部
【図１】
2011154757.tif 000003
【図２】
2011154757.tif 000004
【図３】
2011154757.tif 000005
【図４】
2011154757.tif 000006
【図５】
2011154757.tif 000007